(57)【要約】【課題】ランドセルなどに着脱使用ができるように構成し、軽量で比較的に薄手のものとしながら、適度な保形性があり、吸湿速乾性能に優れ、抗菌防臭性能にも効果を発揮し得る背当てシートを提供する。【解決手段】通気性を有したクッション材シート５の表裏両面に抗菌防臭加工を施したメッシュ地を積層し、表面メッシュ地３は裏面メッシュ地４よりも目の粗いメッシュとして単位積層地２を形成し、吸湿速乾加工、一次帯電防止加工を施したメッシュ芯地６を介してこの両面に単位積層地２を、裏面メッシュ地がメッシュ芯地に接面するように積層して背当てシート１を構成した。【選択図】図３
2007105226.tif 000002
【特許請求の範囲】
【請求項１】
通気性を有したクッション材シートの表裏両面にメッシュ地を積層して単位積層地を形成し、メッシュ芯地を介してこの両面に単位積層地をそれぞれ積層した構成を有してなる背当てシート。
【請求項２】
通気性を有したクッション材シートの表裏両面にメッシュ地を積層し、表面メッシュ地は裏面メッシュ地よりも目の粗いメッシュとして、単位積層地を形成し、メッシュ芯地を介してこの両面に単位積層地をそれぞれ積層した構成を有してなる背当てシート。
【請求項３】
メッシュ芯地の両面に裏面メッシュ地が接面するように単位積層地をそれぞれ積層してなる請求項２に記載の背当てシート。
【請求項４】
少なくともメッシュ芯地に吸湿速乾加工、一次帯電防止加工を施し、少なくとも単位積層地のメッシュ地に抗菌防臭加工を施してなる請求項１〜３のいずれかに記載の背当てシート。
【請求項５】
請求項１〜４のいずれかの背当てシートを用い、ランドセルの背面板相当の大きさとするとともに、その上部にランドセルの背負いベルト挿通孔を形成して、ランドセル用背当てシートとなし、該ランドセル用背当てシートは、挿通孔より下部のシート本体と、挿通孔左右の横シート部と、挿通孔上部の上縁シート部を縫着連設し、シート全体外周に縁布を縫着してなる構成を有する背当てシート。
【請求項６】
横シート部と上縁シート部のメッシュ芯地をシート本体のメッシュ芯地に比して保形性のより高い芯地としてなる請求項５に記載の背当てシート。
【発明の詳細な説明】
【技術分野】
【０００１】
本発明は背当てシート、例えばランドセル用に好適な背当てシートに関する。
【背景技術】
【０００２】
ランドセルは学童が背負うには文具を入れるとかなり重く、背中に圧接するため、背中が痛くなりやすく、発汗で蒸れ、細菌が発生しやすく、発臭しやすい。この対策として、ランドセルの収納部裏面すなわち背当たり面に、クッション材とメッシュ通気シートを重合して、ランドセルが提供されている。このような構成は、下記文献などに示されている。特許文献１には、該文献の図３の如く、硬質性の基板１の外側に緩衝材３を、その外側に消臭抗菌性シート１０、吸湿拡散速乾性シート９、通気孔7付き表面材２を積層した構成が示されている。文献２には、該文献図６（ｂ）の如く、キャンバスなどの下生地２１の外側にクッションシート２２を、その外側に外生地２３、発泡シートの支持層８、カバーシート２５、メッシュ地２６を積層した構成が示されている。
【特許文献１】特開平９−１７３１２１号公報
【特許文献２】実用新案登録第３０６５８６６号公報
【発明の開示】
【発明が解決しようとする課題】
【０００３】
上記のような考え方であると、ランドセル本体自体の構造として提供されるため、背当て構成が普遍的に固定化されてしまうこと、背当て部が汚れてしまった場合にきれいにしにくいこと、夏や冬などの季節変化に背当て部が対応できないこと、使い勝手がきかないことなど、実際の使用上において不便さを解消するに至っていない。
本発明は、このような点に着想し、これらの問題点を解消すべくなしたものであり、そのために、ランドセルなどに着脱使用ができるように構成し、軽量で比較的に薄手のものとしながら、適度な保形性があり、吸湿速乾性能に優れ、抗菌防臭性能にも効果を発揮し得る背当てシートを提供せんとするものである。
【課題を解決するための手段】
【０００４】
上記課題を解決するために、本発明は、通気性を有したクッション材シートの表裏両面にメッシュ地を積層して単位積層地を形成し、メッシュ芯地を介してこの両面に単位積層地をそれぞれ積層して背当てシートを構成したことを特徴とする。また、通気性を有したクッション材シートの表裏両面にメッシュ地を積層し、表面メッシュ地は裏面メッシュ地よりも目の粗いメッシュとして、単位積層地を形成し、メッシュ芯地を介してこの両面に単位積層地をそれぞれ積層して背当てシートを構成したことも特徴とするものである。この場合、メッシュ芯地の両面に裏面メッシュ地が接面するように単位積層地をそれぞれ積層するのが好ましい。
上記単位積層地は、クッション材シートの両面に表裏面メッシュ地をそれぞれ接着して形成することができる。
少なくとも上記メッシュ芯地に吸湿速乾加工、一次帯電防止加工を施し、少なくとも上記単位積層地のメッシュ地に抗菌防臭加工を施して形成するのが好ましい。
【０００５】
また、上記いずれかの背当てシートを用い、ランドセルの背面板相当の大きさとするとともに、その上部にランドセルの背負いベルト挿通孔を形成して、ランドセル用背当てシートとなし、該ランドセル用背当てシートは、挿通孔より下部のシート本体と、挿通孔左右の横シート部と、挿通孔上部の上縁シート部を縫着連設し、シート全体外周に縁布を縫着して背当てシートを構成したことも本発明の特徴としている。
この場合、横シート部と上縁シート部のメッシュ芯地をシート本体のメッシュ芯地に比して保形性のより高い芯地として形成することが好ましい。
上記構成は、両内縁を縫着した左右横シート部を挿通孔分の間隔を置いて配置し、その上縁表裏を上縁シート部の下縁で挟着するようにして袋縫い状に縫着して上縁シート部を形成し、左右横シート部の下縁表裏をシート本体の上縁で挟着するようにして袋縫い状に縫着してシート本体を形成するのが好ましい。
【発明の効果】
【０００６】
本発明によれば、クッション材シートなどにより背中への緩衝性を高め得ると同時に、単位積層地をメッシュ芯地を介して積層した構成とすることにより、比較的薄い厚みとして形成しても全体シートの衝撃吸収性能を高め、背中へのフィット感を高め、かつ全体シートとして柔軟でありながら保形性を持たせたものとすることができる。また、単位積層地の両面をメッシュ地としたので全体に通気拡散性、速乾性に優れ、特に外側になる表面メッシュ地を裏面より粗くすることにより一層優れたものとなる。
単位積層地をメッシュ芯地に対して対称的に積層すれば、表裏両面を同じ機能性をもって使用することができるものとなる。
【０００７】
単位積層地の両面に少なくとも抗菌防臭加工を施してあれば、全体シートでの同機能は極めて効果的なものとなる。また、メッシュ芯地に吸湿速乾加工、一次帯電防止加工を施してあれば、全体シートとして使用上一層快適な機能性を発揮する。
シート上部に挿通孔を形成し、ランドセルに対して着脱自在な構成の背当てシートとしても、上記構成により型崩れしにくく、使用感に優れ、特に挿通孔の横及び上側に腰のある保形性を持たせた芯地を用いることにより一層優れてものとなる。
【発明を実施するための最良の形態】
【０００８】
以下、本発明の好適な実施形態の例を図面とともに説明する。
図１〜３は、本発明に係る背当てシート１の構成を示し、図４〜６はその形成過程を示してある。
背当てシート１は、単位積層地２をメッシュ芯地６を介して積層した構成を有している。
単位積層地２は、ポリエステル、ナイロン或いは綿糸などの適宜素材により、裏メッシュ地４よりも空隙率を大きく形成した目の粗い表面メッシュ地３と、上記と同様の素材により、表面メッシュ地よりも目を細かく形成した裏面メッシュ地４との間に、表裏連通した通気間隙を無数に有する織布乃至不織布などのクッション材シート５を介装し、これらを積層してなっている。
表裏面メッシュ地３，４とクッション材シート５の積層は、重ね合わせてあるだけでもよいが、ホットメルト接着剤その他の粘着乃至接着剤によって、メッシュ部分がクッション材シート表面に軽く接着させておくのが好ましい。
【０００９】
上記表裏面メッシュ地３，４には、また好ましくはクッション材シート５にも、少なくとも抗菌防臭加工を、防カビ、消臭加工などを適宜に含めて施してある。抗菌防臭加工は、繊維自体に形成してもよく、地乃至シートに施してもよく、公知の方法或いは新規な方法いずれによる加工であるかは問わない。
【００１０】
メッシュ芯地６は、ポリエステル、ナイロンなどの合成繊維素材により、表裏面メシュ地３，４よりも細かいメッシュとして形成してある。さらには、繊維を太く或いは本数を多くすることにより、単位積層地２のやわらかさに比して地に腰のある強さを持たせ、より強い保形性を備えたメッシュ芯地として形成するのも好ましい。
該メッシュ芯地６には、少なくとも吸湿速乾乃至拡散加工、一次帯電（静電）防止加工を施しておくのが好ましい。該加工は公知の方法或いは新規な方法いずれによる加工であるかは問わない。
【００１１】
単位積層地２とメッシュ芯地６との積層は、表裏面メッシュ地３，４のいずれをメッシュ芯地６に接面させることができるが、裏面メッシュ地４をメッシュ芯地６に接面させ、正面メッシュ地３が外側面となるように積層するのが好ましい。
これは、背当てシートをランドセルに着脱可能なシートとして適用した場合、人の背中に直接接触する外側層とランドセル本体の背当に直接接触する反対外側層部分が熱の滞留部となるので、対応する背当てシートの両外側面となる表面メッシュ地３，３により大きな通気性と吸湿性を保たせ、かつ抗菌防臭機能を持たせておくことが望ましいからである。両外側を目のより粗いメッシュとし、内側を目のより細かいメッシュとし、介装した芯地をメッシュとするとともに、吸湿速乾加工、帯電防止加工をしておくことにより、全体シートに良好な同様機能を発揮させることができる。
【００１２】
背当てシート１は、上記単位積層地２，２をメッシュ芯地６を介して対称的に積層して形成されるが、ランドセル用背当てシートとするには、次のように構成するのが好ましい。
一般のランドセルの背面板にはその上部中央に背負いベルトの取付金具が装着され、これに背負いベルトの上端部が連結されている。
本発明に係る背当てシート１は、ランドセル背面板に重ね合わせ自在とすることができるとともに、取付金具と背負いベルトを挿通可能な挿通孔７をシート上部に形成してあり、シート全体は、挿通孔７より下部のシート本体８と、挿通孔左右の横シート部９Ａ，９Ｂと、挿通孔上部の上縁シート部１０を具備し、シート全体外周に縁布１１を縫着してあり、図１（Ｂ）のように、背当てシートの裏面側の上端部と下部において、左右両側縁布部にゴム紐１２（ランドセルの冠即ち外カバーの付け根部付近に止め付け用）、ゴム紐１３（ランドセルの背面板下端部に止め付け用）の両端を縫着して該ゴム紐を両側間に渡して設けてある。ゴム紐は両側から伸びた結び紐、その他任意の結束条でもよい。
【００１３】
上記挿通孔７を有した背当てシート１は、シート本体８のメッシュ芯地６に対し、横シート部９Ａ，９Ｂ及び上縁シート部１０のメッシュ芯地６ａをより腰のある即ち保形性のより高い芯地として形成することができる。すなわち、シート本体８の芯地を通気性優先とし、それ自体に保形性が低い生地により形成した場合、横シート部９と上縁シート部１０の芯地をより太い或いは多数本の繊維で構成されている生地により形成すればよく、横シート部と上縁シート部に適度な保形性を持たせることができる。なお、後者の芯地がより細かいメッシュ状態となってもこれらの部分は背中に直接密着する部分とはならないので、背中の蒸れを招来させることはない。
【００１４】
上記構成は次のように形成するのがよい。先ず、図４の如く、横シート部９Ａを２分状態で表裏逆にして内側端縁を縫着１４ａし、その上でシート部を反転して横シート部の積層状態とし、この反転横縁を表側から叩き縫い１４ｂすることにより、袋縫い状となし（左右横シート部ともに同様）、この両横シート部９Ａ，９Ｂを挿通孔７の間隔を置いて配置し、図５の如くその上縁表裏に、上縁シート部１０を２分状態で表裏逆に挟着して、その下端縁を縫着１５ａし、その上でシート部を反転して上縁シート部の積層状態とし、この反転下縁を表側から叩き縫い１５ｂし、さらに、図６の如く、両横シート部の下縁表裏に、シート本体８を２分状態で表裏逆に挟着して、その上端縁を縫着１６ａし、その上でシート部を反転してシート本体の積層状態とし、この反転上縁を表側から叩き縫い１６ｂし、さらに、ゴム紐１２，１３を装着して四方縁取りして形成してある。
【００１５】
上記構成とすることにより、芯地６ａ及び各縁部の縫着状態が相まって挿通孔７の左右及び上方が柔軟性のあるシート地でありながら適度な保形性を保つことができ、シート本体を含め全体シートがランドセルの背面板と背中に沿って捩れにくく平面状態を維持することができ、クッション機能や通気性などが維持され、背負い感触を良好にする。
なお、上記構成は一実施例であるので、各部の構成、形状は上記記載に限定されるものではなく変更可能である。
【図面の簡単な説明】
【００１６】
【図１】本発明に係る背当てシートを示し、（Ａ）は表面側斜視図、（Ｂ）は裏面側斜視図である。
【図２】図１のシートのＩＩ−ＩＩ線部分断面図である。
【図３】図２のシート部分の分解状態断面図である。
【図４】図１の背当てシートを形成する横シート部の加工状態斜視図である。
【図５】同じく横シート部と上縁シート部の加工状態斜視図である。
【図６】同じくシート本体の加工状態斜視図である。
【符号の説明】
【００１７】
１  背当てシート、          ２  単位積層地、            ３  表面メッシュ地、
４  裏面メッシュ地、        ５  クッション材シート、    ６  メッシュ芯地、
６ａ  上部メッシュ芯地、    ７  挿通孔、                ８  シート本体、
９Ａ，９Ｂ  横シート部、    １０  上縁シート部、        １１  縁布、
１２，１３  ゴム紐。
【図１】
2007105226.tif 000003
【図２】
2007105226.tif 000004
【図３】
2007105226.tif 000005
【図４】
2007105226.tif 000006
【図５】
2007105226.tif 000007
【図６】
2007105226.tif 000008